(57)【要約】【課題】文字入力用のタッチパネルが複数の文字入力枠で仕切られると共に同各文字入力枠毎に複数の文字が割り当てられている携帯情報端末などで大量の文字を高速に入力する。【解決手段】タッチパネル１２で検出された座標情報ｄａに基づいて、タッチ入力ペン１１により押下された１点又は２点が含まれる文字入力枠が判定されると共に、同文字入力枠内の所定の位置を基準として、同１点又は２点の相対位置に対応する位置関係情報ｐａが生成され、同文字入力枠に割り当てられている複数の文字のうちの同位置関係情報ｐａに対応する文字が判定されて表示されるので、１回の操作で１文字が入力可能となり、大量の文字が高速に入力される。また、文字対応設定部３２により、文字対応データベース21に記憶されている文字と位置関係情報ｐａとの対応関係が任意に変更されるので、ユーザがタッチ入力ペン１１によりタッチパネル１２を押下するときの操作性が向上する。【選択図】図１
2009151688.tif 000002
【特許請求の範囲】
【請求項１】
文字入力用のタッチパネルを有し、該タッチパネルは、所定数の文字入力枠で仕切られると共に前記各文字入力枠毎に複数の文字が割り当てられている電子機器であって、
前記タッチパネルは、
前記各文字が前記各文字入力枠内の予め設定された各位置に対応付けられると共に、二股状に形成されたタッチ入力ペンにより前記各文字入力枠内の１点又は同時に２点が押下されたとき、押下された前記１点又は２点の位置情報を検出する構成とされ、
前記タッチパネルにより検出された前記位置情報に基づいて、押下された前記１点又は２点が含まれる前記文字入力枠を判定すると共に、該文字入力枠内の所定の位置を基準として、前記１点又は２点の相対位置に対応する位置関係情報を生成し、前記複数の文字のうちの該位置関係情報に対応する文字を判定して表示する入力文字判定表示手段が設けられていることを特徴とする電子機器。
【請求項２】
文字入力用のタッチパネルを有し、該タッチパネルは、所定数の文字入力枠で仕切られると共に前記各文字入力枠毎に複数の文字が割り当てられている電子機器であって、
二股状に形成されたタッチ入力ペンが設けられ、
前記タッチパネルは、
前記各文字入力枠内に所定の座標系が設定され、前記各文字が前記各文字入力枠内の予め設定された各座標に対応付けられると共に、前記タッチ入力ペンにより前記各文字入力枠内の１点又は同時に２点が押下されたとき、押下された前記１点又は２点の座標情報を検出する構成とされ、
前記タッチパネルにより検出された前記座標情報に基づいて、押下された前記１点又は２点が含まれる前記文字入力枠を判定すると共に、該文字入力枠内の所定の位置を基準として、前記１点又は２点の相対位置に対応する位置関係情報を生成し、前記複数の文字のうちの該位置関係情報に対応する文字を判定して表示する入力文字判定表示手段が設けられていることを特徴とする電子機器。
【請求項３】
前記入力文字判定表示手段は、
前記位置関係情報に対応する文字を予め記憶する記憶手段と、
前記位置関係情報を生成し、該位置関係情報に対応する文字を前記記憶手段から読み出す文字入力部と、
該文字入力部により読み出された文字を表示する表示手段とから構成されていることを特徴とする請求項２記載の電子機器。
【請求項４】
前記入力文字判定表示手段は、
前記記憶手段に記憶されている文字と前記位置関係情報との対応関係を任意に変更して設定する文字対応設定部が設けられていることを特徴とする請求項３記載の電子機器。
【請求項５】
前記文字入力部は、
前記タッチパネルに対して、前記各文字入力枠を設定すると共に前記各文字入力枠毎に複数の文字を割り当てる構成とされていることを特徴とする請求項３又は４記載の電子機器。
【請求項６】
文字入力用のタッチパネルを有し、該タッチパネルは、所定数の文字入力枠で仕切られると共に前記各文字入力枠毎に複数の文字が割り当てられている電子機器に用いられる文字入力方法であって、
前記タッチパネルを、前記各文字が前記各文字入力枠内の予め設定された各位置に対応付けられると共に、二股状に形成されたタッチ入力ペンにより前記各文字入力枠内の１点又は同時に２点が押下されたとき、押下された前記１点又は２点の位置情報を検出する構成としておき、
前記タッチパネルにより検出された前記位置情報に基づいて、押下された前記１点又は２点が含まれる前記文字入力枠を判定すると共に、該文字入力枠内の所定の位置を基準として、前記１点又は２点の相対位置に対応する位置関係情報を生成し、前記複数の文字のうちの該位置関係情報に対応する文字を判定して表示する入力文字判定表示処理を行うことを特徴とする文字入力方法。
【請求項７】
文字入力用のタッチパネルを有し、該タッチパネルは、所定数の文字入力枠で仕切られると共に前記各文字入力枠毎に複数の文字が割り当てられている電子機器に用いられる文字入力方法であって、
二股状に形成されたタッチ入力ペンを設け、かつ、
前記タッチパネルを、前記各文字入力枠内に所定の座標系が設定され、前記各文字が前記各文字入力枠内の予め設定された各座標に対応付けられると共に、前記タッチ入力ペンにより前記各文字入力枠内の１点又は同時に２点が押下されたとき、押下された前記１点又は２点の座標情報を検出する構成としておき、
前記タッチパネルにより検出された前記座標情報に基づいて、押下された前記１点又は２点が含まれる前記文字入力枠を判定すると共に、該文字入力枠内の所定の位置を基準として、前記１点又は２点の相対位置に対応する位置関係情報を生成し、前記複数の文字のうちの該位置関係情報に対応する文字を判定して表示する入力文字判定表示処理を行うことを特徴とする文字入力方法。
【請求項８】
前記入力文字判定表示処理では、
前記位置関係情報に対応する文字を予め記憶する記憶手段を設けておき、
前記位置関係情報を生成し、該位置関係情報に対応する文字を前記記憶手段から読み出す文字入力処理と、
該文字入力処理により読み出された文字を表示する表示処理とを行うことを特徴とする請求項７記載の文字入力方法。
【請求項９】
前記入力文字判定表示処理では、
前記記憶手段に記憶されている文字と前記位置関係情報との対応関係を任意に変更して設定する文字対応設定処理を行うことを特徴とする請求項８記載の文字入力方法。
【請求項１０】
前記文字入力処理では、
前記タッチパネルに対して、前記各文字入力枠を設定すると共に前記各文字入力枠毎に複数の文字を割り当てる構成とされていることを特徴とする請求項８又は９記載の文字入力方法。
【請求項１１】
コンピュータを請求項１乃至５のいずれか一に記載の電子機器を制御させるためのコンピュータ読み取り可能な文字入力制御プログラム。
【請求項１２】
請求項１乃至５のいずれか一に記載の電子機器に用いられるタッチ入力ペン。
【請求項１３】
請求項１乃至５のいずれか一に記載の電子機器の機能を備えた携帯端末装置。
【発明の詳細な説明】
【技術分野】
【０００１】
この発明は、電子機器、文字入力方法及び文字入力制御プログラム、タッチ入力ペン、及び携帯端末装置に係り、たとえば、タッチパネルから文字が入力されて所定の動作を行うＰＤＡ（Personal Digital Assistants 、携帯情報端末）などに適用して好適な電子機器、文字入力方法及び文字入力制御プログラム、タッチ入力ペン、及び携帯端末装置に関する。
【背景技術】
【０００２】
ＰＤＡなどの通信機能を有する携帯用の電子機器では、メールなどを作成して送信する場合には大量の文字を入力する必要があるが、携帯機器としての性質上、筐体の操作面の文字入力に使用できるエリアに制約があり、全ての文字に対応したキーを配置することは困難である。このため、従来の対応方法としては、文字行（「あ行」、「か行」など）に対応した文字を入力キーとし、たとえば、「あ行」のキーを決まった回数だけ押下することで、「あ」→「い」→「う」→「え」→「お」のように、入力文字を切り替える方法や、「あ行」のキーを１回押下した時点で、「あ」、「い」、「う」、「え」、「お」を選択候補として表示し、２回目の選択操作で文字を決定する方法が取られている。また、タッチパネルを文字入力手段として採用した場合、同タッチパネル上に入力したい文字を表示する必要があるが、同タッチパネルのサイズが小さい場合、同タッチパネルに全てのかな文字やローマ字を表示させることができないため、上記と同様に、入力文字を切り替える方法が取られ、１文字の入力に複数回の操作が必要となる。
【０００３】
この種の関連する技術としては、たとえば、特許文献１に記載された電子機器がある。
この電子機器では、キーエリア設定手段により、キーボードシートの所定位置に複数のキーに対応するキーエリアが設定され、キー入力手段により、キーエリアにてキーがタッチされた際に、このキーのキートップに表示された文字が入力される。手書き検出エリア設定手段により、タッチ式入力手段による所定の手書き操作を検出する手書き操作検出エリアがキーボードシートの所定位置に設定され、手書き入力手段により、同手書き操作検出エリアにおいて検出された手書き操作に対応する文字が入力される。入力方式切替え手段により、上記キー入力手段及び手書き入力手段のうち、いずれか一方の入力手段が動作するように切り替えられる。これにより、タッチ入力検出エリアにキーボードシートを貼付した状態のままで、手書き入力とキー入力との両方の入力方式を併用でき、入力する文字や文章などに合わせて、適宜ユーザが入力方式を変更でき、文字などの入力操作性が向上する。
【特許文献１】特開２００７−２３４０５３号公報（第６頁、図３）
【発明の開示】
【発明が解決しようとする課題】
【０００４】
しかしながら、上記文献を含む上記電子機器では、次のような問題点があった。
すなわち、タッチパネルのサイズが小さい場合、１文字を入力するために複数回の操作が必要であり、入力に時間がかかるので、たとえばメールの作成など、大量の文字を高速に入力する必要がある場合に対応できないという問題点がある。
【０００５】
また、特許文献１に記載された電子機器では、入力する文字や文章などに合わせて、ユーザが入力方式を変更でき、文字の入力操作性が向上するが、この発明とは、構成や処理方法が異なる。
【０００６】
この発明は、上述の事情に鑑みてなされたもので、タッチパネルのサイズが小さい場合でも、大量の文字を高速に入力可能な電子機器、文字入力方法及び文字入力制御プログラム、タッチ入力ペン、及び携帯端末装置を提供することを目的としている。
【課題を解決するための手段】
【０００７】
上記課題を解決するために、この発明の第１の構成は、文字入力用のタッチパネルを有し、該タッチパネルは、所定数の文字入力枠で仕切られると共に前記各文字入力枠毎に複数の文字が割り当てられている電子機器に係り、前記タッチパネルは、前記各文字が前記各文字入力枠内の予め設定された各位置に対応付けられると共に、二股状に形成されたタッチ入力ペンにより前記各文字入力枠内の１点又は同時に２点が押下されたとき、押下された前記１点又は２点の位置情報を検出する構成とされ、前記タッチパネルにより検出された前記位置情報に基づいて、押下された前記１点又は２点が含まれる前記文字入力枠を判定すると共に、該文字入力枠内の所定の位置を基準として、前記１点又は２点の相対位置に対応する位置関係情報を生成し、前記複数の文字のうちの該位置関係情報に対応する文字を判定して表示する入力文字判定表示手段が設けられていることを特徴としている。
【０００８】
この発明の第２の構成は、文字入力用のタッチパネルを有し、該タッチパネルは、所定数の文字入力枠で仕切られると共に前記各文字入力枠毎に複数の文字が割り当てられている電子機器に用いられる文字入力方法に係り、前記タッチパネルを、前記各文字が前記各文字入力枠内の予め設定された各位置に対応付けられると共に、二股状に形成されたタッチ入力ペンにより前記各文字入力枠内の１点又は同時に２点が押下されたとき、押下された前記１点又は２点の位置情報を検出する構成としておき、前記タッチパネルにより検出された前記位置情報に基づいて、押下された前記１点又は２点が含まれる前記文字入力枠を判定すると共に、該文字入力枠内の所定の位置を基準として、前記１点又は２点の相対位置に対応する位置関係情報を生成し、前記複数の文字のうちの該位置関係情報に対応する文字を判定して表示する入力文字判定表示処理を行うことを特徴としている。
【発明の効果】
【０００９】
この発明の構成によれば、タッチパネルにより、各文字が各文字入力枠内の予め設定された各位置に対応付けられると共に、二股状に形成されたタッチ入力ペンにより上記各文字入力枠内の１点又は同時に２点が押下されたとき、押下された上記１点又は２点の位置情報が検出され、入力文字判定表示手段により、タッチパネルで検出された前記位置情報に基づいて、押下された上記１点又は２点が含まれる上記文字入力枠が判定されると共に、同文字入力枠内の所定の位置を基準として、上記１点又は２点の相対位置に対応する位置関係情報が生成され、上記複数の文字のうちの同位置関係情報に対応する文字が判定されて表示されるので、１回の操作で１文字を入力することが可能となり、大量の文字を高速に入力することができる。
【発明を実施するための最良の形態】
【００１０】
タッチパネルの各文字入力枠内に所定の座標系が設定され、各文字が同各文字入力枠内の予め設定された各座標に対応付けられると共に、タッチ入力ペンにより同各文字入力枠内の１点又は同時に２点が押下されたとき、押下された１点又は２点の座標情報を検出する構成とされ、検出された座標情報に基づいて、押下された１点又は２点が含まれる文字入力枠を判定すると共に、同文字入力枠内の所定の位置を基準として、上記１点又は２点の相対位置に対応する位置関係情報を生成し、各文字入力枠毎に割り当てられている複数の文字のうちの同位置関係情報に対応する文字を判定して表示する入力文字判定表示手段が設けられている電子機器、文字入力方法及び文字入力制御プログラム、タッチ入力ペン、及び携帯端末装置を提供する。
【００１１】
これにより、タッチパネルで検出された座標情報に基づいて、タッチ入力ペンにより押下された１点又は２点が含まれる文字入力枠が判定されると共に、同文字入力枠内の所定の位置を基準として、同１点又は２点の相対位置に対応する位置関係情報が生成され、同文字入力枠に割り当てられている複数の文字のうちの同位置関係情報に対応する文字が判定されて表示されるので、１回の操作で１文字を入力することが可能となり、大量の文字を高速に入力することができる。
【００１２】
また、この発明では、上記入力文字判定表示手段は、上記位置関係情報に対応する文字を予め記憶する記憶手段と、同位置関係情報を生成し、同位置関係情報に対応する文字を前記記憶手段から読み出す文字入力部と、同文字入力部により読み出された文字を表示する表示手段とから構成されている。
【００１３】
また、この発明では、上記入力文字判定表示手段は、上記記憶手段に記憶されている文字と上記位置関係情報との対応関係を任意に変更して設定する文字対応設定部が設けられている。これにより、記憶手段に記憶されている文字と位置関係情報との対応関係を任意に変更できるので、ユーザがタッチ入力ペンによりタッチパネルを押下するときの操作性を向上させることができる。
【００１４】
また、この発明では、上記文字入力部は、上記タッチパネルに対して、上記各文字入力枠を設定すると共に上記各文字入力枠毎に複数の文字を割り当てる構成とされている。
【実施例】
【００１５】
図１は、この発明の一実施例である電子機器の要部の電気的構成を示すブロック図である。
この例の電子機器は、ＰＤＡ（携帯端末装置）であり、同図に示すように、入力装置１と、記憶装置２と、処理装置３と、出力装置４とを備えている。入力装置１は、タッチ入力ペン１１と、タッチパネル１２とから構成されている。タッチ入力ペン１１は、二股状に形成され、タッチパネル１２に対して１点又は同時に２点を押下するためのものである。タッチパネル１２は、文字入力用のものであり、所定数の文字入力枠で仕切られると共に同各文字入力枠毎に複数の文字が割り当てられる。特に、この実施例では、タッチパネル１２は、各文字入力枠内に座標系（たとえば、直交座標系）が設定され、各文字が同各文字入力枠内の予め設定された各座標（位置）に対応付けられると共に、タッチ入力ペン１１により同各文字入力枠内の１点又は同時に２点が押下されたとき、押下された１点又は２点の座標情報ｄａ（位置情報）を検出する。
【００１６】
記憶装置２は、たとえばＲＡＭ（Random Access Memory）で構成され、文字対応データベース２１を備えている。文字対応データベース２１は、処理装置３により生成される位置関係情報ｐａに対応する文字を予め記憶する。
【００１７】
処理装置３は、このＰＤＡ全体を制御するコンピュータとしてのＣＰＵ（中央処理装置）３ａ及び同ＣＰＵ３ａに読み取り可能な文字入力制御プログラムが記録されたＲＯＭ（リード・オンリ・メモリ）３ｂを有し、タッチパネル１２で検出された座標情報ｄａに基づいて、押下された上記１点又は２点が含まれる上記文字入力枠を判定すると共に、同文字入力枠内の所定の位置を基準として、同１点又は２点の相対位置に対応する位置関係情報ｐａを生成し、タッチパネル１２の各文字入力枠毎に割り当てられている複数の文字のうちの同位置関係情報ｐａに対応する文字を判定して表示する。特に、この実施例では、処理装置３は、文字入力部３１と、文字対応設定部３２と、文字表示部３３とを備えている。
【００１８】
文字入力部３１は、上記位置関係情報ｐａを生成し、同位置関係情報ｐａに対応する文字ｃａを文字対応データベース２１から読み出して文字情報ｃｂとして文字表示部３３へ送出する。また、文字入力部３１は、タッチパネル１２に対して、入力枠設定信号ｆａを出力することにより、上記各文字入力枠を設定すると共に同各文字入力枠毎に複数の文字を割り当てる。文字表示部３３は、文字情報ｃｂに基づいて、対応する文字を出力装置４に表示させる。出力装置４は、たとえば液晶表示装置などで構成されている。文字対応設定部３２は、ユーザがタッチ入力ペン１１によりタッチパネル１２を操作して文字対応情報ｃｄを入力すると、文字対応情報ｃｅとして文字対応データベース２１へ送出し、同文字対応データベース２１に記憶されている文字と上記位置関係情報ｐａとの対応関係を任意に変更して設定する。
【００１９】
図２は、図１中のタッチ入力ペン１１の一例を示す外観図である。
このタッチ入力ペン１１は、同図２に示すように、一方の端部が二股状に形成され、二股の両先端を同時にタッチパネル１２に接触させることで、２点を同時に押下することが可能なものである。
【００２０】
図３は、図１中のタッチパネル１２が各文字入力枠で仕切られて文字が表示された状態の一例を示す図、図４は、図３中の文字入力枠がタッチ入力ペン１１により押下された状態の一例を示す図、及び、図５が、図１のＰＤＡの動作を説明するシーケンス図である。
これらの図を参照して、この例のＰＤＡに用いられる文字入力方法の処理内容について説明する。
このＰＤＡでは、タッチパネル１２で検出された座標情報ｄａに基づいて、タッチ入力ペン１１により押下された１点又は２点が含まれる文字入力枠が判定されると共に、同文字入力枠内の所定の位置を基準として、同１点又は２点の相対位置に対応する位置関係情報ｐａが生成され、同文字入力枠に割り当てられている複数の文字のうちの同位置関係情報ｐａに対応する文字が判定されて表示される（入力文字判定表示処理）。
【００２１】
この入力文字判定表示処理では、位置関係情報ｐａに対応する文字（たとえば、「あ行」、「か行」などの文字行に含まれる文字）が、文字対応データベース２１に予め記憶されている。この場合、たとえば、図３中の各文字入力枠内の左下の角の点を基点とし、たとえば、「あ」の文字入力枠の１点のみが押下された場合の対応文字は「あ」、２点が押下された場合の２点目が基点の右側１３ドットかつ上側０ドットに位置する場合の対応文字は「い」、また、２点目が基点の右側１１ドットかつ上側７ドットに位置する場合の対応文字は「う」、などとなっている。
【００２２】
この状態で、ユーザが、たとえばメール作成など、文字入力を必要とする機能を用いる操作を行ったとき、文字入力部３１が起動される（ステップＡ１）。次に、文字入力部３１により、タッチパネル１２に入力枠設定信号ｆａが出力され、同タッチパネル１２に対して、各文字入力枠が設定されると共に同各文字入力枠毎に複数の文字が割り当てられる（ステップＡ２）。タッチパネル１２では、たとえば図３に示すように、各文字入力枠が表示され（ステップＡ３）、同各文字入力枠毎にかな文字の文字行（「あ」行、「か」行など）が割り当てられている。次に、ユーザは、図４に示すように、タッチ入力ペン１１を用いて、タッチパネル１２の任意の文字入力枠内の２点（点Ａ，Ｂ）を押下する操作を行う（ステップＡ４）。また、このとき、タッチ入力ペン１１を傾けることで、１点のみを押下してもよい。
【００２３】
タッチパネル１２では、押下された１点又は２点の座標情報ｄａが検出され（ステップＡ５）、同座標情報ｄａが文字入力部３１に送出される（ステップＡ６）。文字入力部３１では、座標情報ｄａに基づいて、押下された文字入力枠（図４では、「あ」）及び点Ａ，Ｂの位置関係情報ｐａが生成される（ステップＡ７）。この位置関係情報ｐａは、図４に示す例では、点Ａを基点として、点Ｂが右側１１ドットかつ上側７ドットの位置に存在することを表す。文字入力部３１では、位置関係情報ｐａに基づいて文字対応データベース２１に問合わせが行われ（ステップＡ８）、同位置関係情報ｐａに対応する文字ｃａ（たとえば、「う」）が読み出され（ステップＡ９、文字入力処理）、文字情報ｃｂとして文字表示部３３へ送出される（ステップＡ１０）。このとき、位置関係情報ｐａに対応するデータが文字対応データベース２１にない場合は、最も近い位置の文字が入力されたものと判定しても良い。文字表示部３３では、出力装置４に対して文字情報ｃｂに対応する文字を表示させる（ステップＡ１１、表示処理）。このとき、ユーザは、表示された文字を視認することにより、意図した文字が入力されたことが確認可能となる。
【００２４】
また、上記文字対応データベース２１には、位置関係情報ｐａに対応する文字が予め記憶されているが、ユーザによっては、自身が入力しやすいように、位置関係情報ｐａに対応する文字の更新を望むことが考えられる。この場合、ユーザがタッチパネル１２に対してタッチ入力ペン１１により所定の操作を行い（ステップＢ１）、文字対応設定部３２が起動される（ステップＢ２）。次に、ユーザは、文字を更新したい文字入力枠内の２点をタッチ入力ペン１１により押下するか、又は、タッチパネル１２に数字を表示させておき、座標情報を数値入力することにより（ステップＢ３、データベースＤＢ更新操作）、同タッチパネル１２から文字対応情報ｃｄが文字対応設定部３２へ送出される（ステップＢ４）。そして、文字対応設定部３２から文字対応情報ｃｅが文字対応データベース２１へ送出され（ステップＢ５）、同文字対応データベース２１に記憶されている文字と位置関係情報ｐａとの対応関係が変更されて設定される（ステップＢ６、文字対応設定処理）。
【００２５】
以上のように、この実施例では、タッチパネル１２で検出された座標情報ｄａに基づいて、タッチ入力ペン１１により押下された１点又は２点が含まれる文字入力枠が判定されると共に、同文字入力枠内の所定の位置を基準として、同１点又は２点の相対位置に対応する位置関係情報ｐａが生成され、同文字入力枠に割り当てられている複数の文字のうちの同位置関係情報ｐａに対応する文字が判定されて表示されるので、１回の操作で１文字が入力可能となり、大量の文字が高速に入力される。また、文字対応設定部３２により、文字対応データベース２１に記憶されている文字と位置関係情報ｐａとの対応関係が任意に変更されるので、ユーザがタッチ入力ペン１１によりタッチパネル１２を押下するときの操作性が向上する。
【００２６】
以上、この発明の実施例を図面により詳述してきたが、具体的な構成は同実施例に限られるものではなく、この発明の要旨を逸脱しない範囲の設計の変更などがあっても、この発明に含まれる。
たとえば、上記実施例では、文字入力部３１により、タッチパネル１２に入力枠設定信号ｆａが出力されることにより、各文字入力枠が設定されるようになっているが、同文字入力部３１によらず、始めからタッチパネル１２に各文字入力枠を表示するようにしても良い。また、タッチパネル１２の各文字入力枠内に設定される座標系は、直交座標系に限らず、極座標系でも良い。この場合、タッチパネル１２で検出される座標情報ｄａは、たとえば各文字入力枠内の任意の点を基点として、点Ａ，Ｂの極座標で表される。
【産業上の利用可能性】
【００２７】
この発明は、文字入力用のタッチパネルを有し、同タッチパネルが複数の文字入力枠で仕切られると共に同各文字入力枠毎に複数の文字が割り当てられている電子機器全般に適用でき、たとえば、携帯電話機で、一般的なボタンスイッチに代えて文字入力用のタッチパネルが設けられる場合などに適用して有効である。
【図面の簡単な説明】
【００２８】
【図１】この発明の一実施例である電子機器の要部の電気的構成を示すブロック図である。
【図２】図１中のタッチ入力ペン１１の一例を示す外観図である。
【図３】図１中のタッチパネル１２が各文字入力枠で仕切られて文字が表示された状態の一例を示す図である。
【図４】図３中の文字入力枠がタッチ入力ペン１１により押下された状態の一例を示す図である。
【図５】図１のＰＤＡの動作を説明するシーケンス図である。
【符号の説明】
【００２９】
１      入力装置（電子機器の一部）
２      記憶装置（記憶手段、入力文字判定表示手段の一部）
３      処理装置（入力文字判定表示手段の一部）
３ａ      ＣＰＵ（中央処理装置）
３ｂ      ＲＯＭ（リード・オンリ・メモリ）
４      出力装置（入力文字判定表示手段の一部、表示手段の一部）
１１      タッチ入力ペン（入力装置の一部）
１２      タッチパネル（入力装置の一部）
２１      文字対応データベース（記憶手段、入力文字判定表示手段の一部）
３１      文字入力部（入力文字判定表示手段の一部）
３２      文字対応設定部（入力文字判定表示手段の一部）
３３      文字表示部（入力文字判定表示手段の一部、表示手段の一部）
【図１】
2009151688.tif 000003
【図２】
2009151688.tif 000004
【図３】
2009151688.tif 000005
【図４】
2009151688.tif 000006
【図５】
2009151688.tif 000007